(57)【要約】      （修正有）【課題】電子機器の着信待ち受け機能のための電力を優先的に確保する。【解決手段】電子機器120は、着信待ち受け機能を含む第１機能を実現する手段124と、第１の機能と異なる第２機能を実現する手段216と、着信待ち受け機能の消費電力を記憶する記憶部140と、第２機能の制限を開始する二次電池200の電力残量の閾値と着信待ち受け機能の消費電力とに基づいて第２機能の制限を開始した後の着信待ち受け時間を算出する手段122と、算出された着信待ち受け時間を表示する手段150と、を備える。【選択図】図１
2011210270.tif 000002
【特許請求の範囲】
【請求項１】
着信待ち受け機能を含む第１機能を実現する手段と、
前記第１の機能と異なる第２機能を実現する手段と、
前記着信待ち受け機能の消費電力を記憶する記憶部と、
前記第２機能の制限を開始する二次電池の電力残量の閾値と前記着信待ち受け機能の消費電力とに基づいて前記第２機能の制限を開始した後の着信待ち受け時間を算出する手段と、優先的に
算出された前記着信待ち受け時間を表示する手段と、
を備えることを特徴とする電子機器。
【請求項２】
検出された前記二次電池の電力残量が前記閾値以下である場合に、前記算出する手段は、検出された前記二次電池の電力残量による着信待ち受け時間を算出して前記表示する手段に表示させることを特徴とする、請求項１に記載の電子機器。
【請求項３】
前記第２機能の制限が開始された後、前記算出する手段は、前記二次電池の充電によって前記二次電池の電力残量が前記第２機能の制限を解除すべき別の閾値を超えたかどうかを判定することを特徴とする、請求項１または２に記載の電子機器。
【請求項４】
着信待ち受け機能を含む第１機能を実現する手段と、
前記第１の機能と異なる第２機能を実現する手段と、
前記着信待ち受け機能の消費電力を記憶する記憶部と、
警告を発生させる二次電池の電力残量の閾値と前記着信待ち受け機能の消費電力とに基づいて前記警告を発生させた後の着信待ち受け時間を算出する手段と、
算出された前記着信待ち受け時間を表示する手段と、
を備えることを特徴とする電子機器。
【発明の詳細な説明】
【技術分野】
【０００１】
本発明は、充電可能なバッテリを有する電子機器に関し、特に、携帯電話機において例えば電話機能のような主要機能用に所定の電力を確保するために例えば音楽再生のような他の機能の動作を制限可能な電子機器に関する。
【背景技術】
【０００２】
携帯電話機、ＰＤＡ（Personal Digital Assistant）およびノートブック型パーソナル・コンピュータ（ＰＣ）等のモバイル電子機器においては、充電可能なバッテリが用いられている。通常の携帯電話機において、着信待受けおよび通話の主要電話機能に加えて、音楽再生およびゲームのような電力消費の多いアプリケーションが頻繁に使用される。その電力管理のために、携帯電話機にはバッテリの電力残量を表示または確認する機能が設けられている。従って、ユーザは、携帯電話機において、音楽再生およびゲームのようなアプリケーションを実行する場合に、待受けおよび通話の主要機能が利用できるように残りのバッテリ電力に注意を払わなければならない。
【０００３】
バッテリ容量を正確に計算する技術は、テキサス  インスツルメンツ社（ＴＩ）の “Ｉｍｐｅｄａｎｃｅ  ＴｒａｃｋＴＭ”のガスゲージ・テクノロジーとして知られている。
【０００４】
２０００年９月１４日付けで公開された特開２０００−２５３１４２号公報（Ａ）（特許文献１）には、通信端末装置の消費電力削減が記載されている。その通信端末装置において、電池残量検出部で電池残量を検出し、制御部は検出された電池残量としきい値を比較し、電池残量が少ないと判断された時に、付加機能である着信ＬＥＤ、着信音制御部、表示部などの機能を停止して、消費電力を削減し、それによって、通話時間または待ち受け時間を延長する。
【０００５】
２００２年１月１１日付けで公開された特開２００２−７００２号公報（Ａ）（特許文献２）には、電子機器が記載されている。その電子機器は、省電力動作対象となる複数の機能と、この複数の機能の省電力動作の優先順位を設定する省電力動作設定機能とを具えている。
【０００６】
２００２年７月１２日付けで公開された特開２００２−１９９０６２号公報（Ａ）（特許文献３）には、携帯端末が記載されている。その携帯端末は、音楽等の内蔵されたデータを再生可能である。その携帯端末は、電池の充電状態検出手段または電池の残量検出手段を備え、電池の充電開始が検出されるとデータの再生開始を可能にし、電池の残量が予め設定された残量値以下の場合はデータ再生動作の開始をさせないようにし、それによって、充電時に好みの音楽での報知、または電池の残量僅少時における省電力化を可能にする。
【先行技術文献】
【特許文献】
【０００７】
【特許文献１】特開２０００−２５３１４２号公報
【特許文献２】特開２００２−７００２号公報
【特許文献３】特開２００２−１９９０６２号公報
【発明の概要】
【発明が解決しようとする課題】
【０００８】
携帯電話における既知の電源管理技術では、ユーザがバッテリ電力に対して注意を怠ると、電話機能のような主要な機能のためのバッテリ電力を充分に確保できないことがある。
【０００９】
発明者たちは、電話機能のような携帯電話機の主要機能のためのバッテリ電力を充分に確保できるようにするために、別の付加機能の動作を自動的に制限することが有効である、と認識した。
【００１０】
本発明の目的は、電子機器の着信待ち受け機能のための電力を優先的に充分に確保できるようにすることである。
【００１１】
本発明の別の目的は、電力残量が閾値より少ないときに電子機器の他の機能を制限することである。
【課題を解決するための手段】
【００１２】
本発明の実施形態の特徴によれば、電子機器は、着信待ち受け機能を含む第１機能を実現する手段と、第１の機能と異なる第２機能を実現する手段と、着信待ち受け機能の消費電力を記憶する記憶部と、第２機能の制限を開始する二次電池の電力残量の閾値と着信待ち受け機能の消費電力とに基づいて第２機能の制限を開始した後の着信待ち受け時間を算出する手段と、算出された前記着信待ち受け時間を表示する手段と、を備えている。
【発明の効果】
【００１３】
本発明の実施形態によれば、電子機器の着信待ち受け機能のための電力を優先的に充分に確保でき、電力残量が閾値以下のときに他の機能を制限するができる。
【発明を実施するための形態】
【００１４】
本発明の実施形態を、図面を参照して説明する。図面において、同様のコンポーネントには同じ参照番号が付されている。
【００１５】
図１Ａは、本発明の実施形態による、再充電可能な二次電池を有する、例えば携帯電話機のようなモバイル電子機器１００を示している。図１Ｂは、メモリ１４０に格納される、モバイル電子機器１００における、例えば通話機能および着信待ち受け機能のような必須な通信の主要機能２１４、および例えば音楽再生のユティリティ・アプリケーションおよび例えばテレビ電話のような付加的な通信アプリケーションのような付加機能１２６の消費電力を表すテーブルを示している。
【００１６】
電子機器１００は、例えばＣＰＵのような主要制御部１２０、メモリ１４０、アンテナＡＮＴに結合された移動電話通信用のＲＦ送受信機１３０、スピーカＳＰＫおよびマイクロホンＭＩＣを有する音声回路１３５、ディスプレイ１５０、入力キー１５２、確認キーおよびシフト・キーのような制御キー１５４、バッテリ制御部１６０、およびバッテリ制御部１６０に結合された二次電池２００を具えている。構成要素１３０〜１６０は、主要制御部１２０に接続されている。バッテリ制御部１６０は二次電池２００の電力残量を検出するバッテリ電力残量検出部１６２を含んでいる。主要制御部１２０は、バッテリ電力残量検出部１６２によって検出されたバッテリ電力残量と、メモリ１４０に格納された図１Ｂに示された各機能と消費電力のテーブルと、非主要機能の動作制限の条件とに従って、電子機器１００の諸機能の動作を許可し制限するよう制御する。バッテリ制御部１６０は、外部交流電源に接続されているとき、外部交流電源から供給された電流を整流して直流電流を生成し、満杯になるまで二次電池２００を充電し続けるよう動作する。
【００１７】
電子機器１００は、主要制御部１２０上に実装された電源管理部１２２を有し、さらに、図１Ｂに示されているように、例えば、主要機能１２４として通話機能および着信待ち受け機能を有し、その他の付加機能１２６として、テレビ電話機能、携帯電話上でのグループ通話機能（ＰｏＣ）、電子メール機能、音楽再生機能およびゲーム機能（ゲーム１、ゲーム２）を有する。電子メール機能は１つの主要機能であってもよい。これらの諸機能の一部は、主要制御部１２０上でＬＳＩのようなハードウェアの形態で実装されていてもよく、他の一部はメモリ１４０に格納されたプログラムに従って主要制御部１２０上で実装されてもよい。或るバッテリ電力量に対するこれらの機能の動作時間は、主要制御部１２０の演算部または電源管理部１２２によって、図１Ｂのテーブルに示されたそれぞれの機能の消費電力に基づいて算出される。
【００１８】
図２は、本発明の別の実施形態による、二次電池２００およびダイレクトメタノール型燃料電池（ＤＭＦＣ）１７０を有する、例えば携帯電話機のようなモバイル電子機器１０２を示している。電子機器１０２は、図１の構成要素１２０〜１６０および２００に加えて、燃料電池１７０を具えている。燃料電池１７０は、バッテリ制御部１６０および二次電池２００に結合されたＤＭＦＣ制御部１７２、ＤＭＦＣ発電部１７４および燃料カートリッジ１７６を具えている。電子機器１０２は、電子機器１００と同様の機能を有する。ＤＭＦＣ制御部１７２はバッテリ制御部１６０と交信し、ＤＭＦＣ発電部１７４はＤＭＦＣ制御部１７２の制御の下で燃料カートリッジ１７６から供給されるメタノールを化学反応させて発電し、バッテリ制御部１６０を介して、充電可能な限り満杯になるまで二次電池２００を充電し続けるよう動作する。
【００１９】
図３Ａは、本発明の原理を説明するため時間の経過に従って変化する二次電池２００のバッテリ電力残量と或る付加機能の動作制限の開始および解除との関係を示している。図３Ｂは、図１の電子機器１００のディスプレイ１５０に表示される電源管理（power management）用の表示画面の例を示している。
【００２０】
図３Ａにおいて、バッテリ電力残量検出部１６２によって検出された二次電池２００のバッテリ電力残量Ｐ１０は、モバイル電子機器１００または１０２の諸機能、例えば音楽再生機能および／または着信待ち受け機能の動作による電力消費にともなって徐々に減少する。最初のバッテリ電力残量Ｐ１０は満杯の１００％であり、モバイル電子機器１００または１０２の諸機能の全ての動作は制限されない。バッテリ電力残量Ｐ１０が、ユーザによって設定された動作制限開始のバッテリ電力残量Ｐ１のレベルまで減少したとき、電源管理部１２２は、電子機器１００または１０２の主要機能の動作のみ許容して他の付加機能の動作の制限を開始する。その後、ユーザが電子機器１００を交流電源に接続して二次電池２００を充電し、または電子機器１０２のＤＭＦＣ発電部１７４によって二次電池２００が自動的に充電されて、バッテリ電力残量Ｐ１０がユーザによって設定された動作制限解除のバッテリ電力残量Ｐ８のレベルを超えたとき、主要制御部１２０は、付加機能の動作の制限を解除して、全て機能の動作を許容する。
【００２１】
バッテリ電力残量Ｐ１０が動作制限開始のバッテリ電力残量Ｐ１のレベルまで減少したとき、例えば携帯電話機のシェル（蓋）が閉じた状態で電子機器１００または１０２の主要機能１２４の着信待ち受け機能だけが動作している間は、電子機器１００または１０２は、電源管理部１２２によって、バッテリ電力残量検出部１６２、ＬＥＤバックライトまたはバイブレータの少なくともいずれか１つが不動作状態になるよう制御されてもよく、さらに電源管理部１２２によって、主要機能１２４としての留守番電話機能の呼び出し信号発生時間が短くなるように制御してもよい。それによって、バッテリ電力消費を抑えることができる。
【００２２】
図３Ｂを参照すると、ディスプレイ１５０に表示される電源管理用の表示画面において、ユーザによって設定される付加機能の動作制限開始のバッテリ電力残量Ｐ１（％）、ユーザによって設定される確保すべき主要機能１２４としての通話機能の最小の設定通話時間Ｔ２（分）、設定通話時間Ｔ２の範囲内での通話機能の現在利用可能な残りの通話時間Ｔ３（分）、ユーザによって設定される確保すべき主要機能１２４としての着信待ち受け機能の最小の設定待ち受け時間Ｔ４（時間）、設定待ち受け時間Ｔ４の範囲内での現在利用可能な残りの待ち受け時間Ｔ５（時間）、動作制限の解除と開始の間のバッテリ電力量に対する付加機能１２６としてのアプリケーションの動作可能時間を表す設定動作時間Ｔ６（分）、現在のバッテリ電力残量におけるアプリケーションの残りの動作可能時間Ｔ７（分）、ユーザによって設定される付加機能の動作制限解除のバッテリ電力残量Ｐ８（％）、ユーザによって選択されたアプリケーションの種別または識別ＡＰ９、および電源管理用の画面内の左の位置に棒状に百分率で二次電池２００の現在のバッテリ電力残量Ｐ１０（％）が表示される。
【００２３】
アプリケーションの設定動作時間Ｔ６は、現在のバッテリ電力残量Ｐ１０が動作制限解除のバッテリ電力残量Ｐ８と等しい場合に、その後、バッテリ電力残量Ｐ１０が動作制限開始のバッテリ電力残量Ｐ１のレベルに達するまでに選択されたアプリケーションＡＰ９が動作可能な時間を表す。充電用の燃料電池１７０を持たない電子機器１００では、典型的には、動作制限が解除されるバッテリ電力残量Ｐ８およびバッテリ電力残量Ｐ８に対する動作可能時間を表す設定動作時間Ｔ６にユーザが注意を払うことはまれなので、これらの設定動作時間Ｔ６および制限解除のバッテリ電力残量Ｐ８は表示しなくてもよい。
【００２４】
付加機能１２６の動作の制限を開始するときのバッテリ電力残量Ｐ１（％）、確保すべき最小の設定通話時間Ｔ２（分）、確保すべき最小の設定待ち受け時間Ｔ４、アプリケーションの残りの動作可能時間Ｔ７、および付加機能１２６の動作制限を解除するときのバッテリ電力残量Ｐ８は、ユーザによって、入力キー１５２および制御キー１５４を用いて設定される。選択されたアプリケーションのタイプＡＰ９は、ユーザによって入力キー１５２および制御キー１５４を用いて選択されたアプリケーションＡＰ９の種別が表示される。
【００２５】
図４は、図１の電子機器１００の主要制御部１２０の電源管理部１２２によって実行される付加機能１２６の動作の制限のためのフローチャートを示している。
【００２６】
ステップ３０２において、電源管理部１２２は、二次電池２００の現在のバッテリ電力残量Ｐ１０を、付加機能の動作制限開始のバッテリ電力残量Ｐ１と比較して、現在のバッテリ電力残量Ｐ１０がバッテリ電力残量Ｐ１より大きいかどうかを判定する。現在のバッテリ電力残量Ｐ１０がバッテリ電力残量Ｐ１より大きいと判定された場合は、ステップ３０４において、電源管理部１２２は、主要機能１２４と付加機能１２６のいずれの動作をも許容する。現在のバッテリ電力残量Ｐ１０がバッテリ電力残量Ｐ１より大きい限りステップ３０２〜３０４が繰り返される。
【００２７】
ステップ３０２において現在のバッテリ電力残量Ｐ１０がバッテリ電力残量Ｐ１より大きくないと判定された場合は、ステップ３０６において、電源管理部１２２は、付加機能１２６の動作の制限を開始し、合成音声アナウンスまたは警告音により音声回路１３５およびスピーカＳＰＫによって現在のバッテリ電力残量Ｐ１０がバッテリ電力残量Ｐ１より大きくないことまたは付加機能１２６が利用できないことを警告し、主要機能１２４の動作のみを許容する。代替構成として、ステップ３０６において、電源管理部１２２は、付加機能１２６の動作の制限することなく、音声回路１３５およびスピーカＳＰＫによって現在のバッテリ電力残量Ｐ１０がバッテリ電力残量Ｐ１より大きくないことまたは付加機能が使用できないことを警告するだけで、主要機能１２４および付加機能１２６の動作を許容してもよい。
【００２８】
ステップ３０８において、電源管理部１２２は、ステップ３０８においてバッテリ制御部１２０に問い合わせて現在二次電池２００は充電中かどうかを判定する。ステップ３１０において、電源管理部１２２は、充電が開始されるまでステップ３０８を繰り返す。充電中であると判定された場合、ステップ３１０において、電源管理部１２２は、二次電池２００の充電が完了して所定のバッテリ電力残量（例えば、Ｐ１０＝１００％）に達したかどうかを判定する。充電が完了したと判定された場合は、手順はステップ３０４に戻る。充電が完了するまでステップ３１０は繰り返される。このようにして、二次電池２００のバッテリ電力残量Ｐ１０およびバッテリ電力残量Ｐ１に従って付加機能１２６の動作が制限される。
【００２９】
図５は、図１Ａまたは２の電子機器１００または１０２の主要制御部１２０の電源管理部１２２によって実行される付加機能１２６の動作の制限のための別のフローチャートを示している。ステップ３０２〜３０８は図４のものと同様である。
【００３０】
ステップ３１２において、電源管理部１２２は、二次電池２００のバッテリ電力残量Ｐ１０が機能動作制限解除のバッテリ電力残量（例えば、Ｐ１０＝９０％）に達したかどうかを判定する。バッテリ電力残量Ｐ１０が機能動作制限解除のバッテリ電力残量Ｐ８に達したと判定された場合は、手順はステップ３０４に戻る。バッテリ電力残量Ｐ１０が機能動作制限解除のバッテリ電力残量に達するまでステップ３１０は繰り返される。
【００３１】
図６および７は、主要制御部１２０の電源管理部１２２によって実行される、モバイル電子機器１００または１０２の諸機能の電源管理のための処理のフローチャートを示している。図８Ａ〜８Ｅは、図７の処理Ａ〜Ｅの部分の詳細のフローチャートを示している。
【００３２】
図６を参照すると、モバイル電子機器１００または１０２が電源管理部１２２によって実行される電源管理画面の表示処理を起動したとき、ステップ４０２において、電源管理部１２２は電源管理の状態を表示するための処理を開始する。ステップ４０４において、電源管理部１２２は、バッテリ電力残量検出部１６２にバッテリ電力残量Ｐ１０を検出させて現在のバッテリ電力残量Ｐ１０を取得し、現在のバッテリ電力残量Ｐ１０を動作制限開始のバッテリ電力残量Ｐ１と比較する。
【００３３】
ステップ４０６において、電源管理部１２２は、現在のバッテリ電力残量Ｐ１０が動作制限開始のバッテリ電力残量Ｐ１より多いかどうかを判定する。現在のバッテリ電力残量Ｐ１０が動作制限開始のバッテリ電力残量Ｐ１より多い（Ｐ１０＞Ｐ１）と判定された場合は、電源管理部１２２は、ステップ４０８において、現在のバッテリ電力残量Ｐ１０とテーブル中の選択されたアプリケーションＡＰ９の消費電力とに従って、現在のバッテリ電力残量Ｐ１０から動作制限開始のバッテリ電力残量Ｐ１を減算して得られた差のバッテリ量（Ｐ１０−Ｐ１）によって動作可能なアプリケーションＡＰ９の動作可能時間Ｔ７を算出し、ステップ４１０において動作可能時間Ｔ７を表示する。ステップ４２２において、電源管理部１２２は、現在のバッテリ電力残量Ｐ１０を表示する。その後、手順は図７のステップ５０６へ進む。
【００３４】
ステップ４０６においてバッテリ電力残量Ｐ１０が動作制限開始のバッテリ電力残量Ｐ１より多くないと（Ｐ１０≦Ｐ１）判定された場合は、電源管理部１２２は、ステップ４１２において、現在のバッテリ電力残量Ｐ１０によって利用可能な残りの通話時間Ｔ３および利用可能な残りの待ち受け時間Ｔ５を算出し、ステップ４１４において、アプリケーションの動作可能時間Ｔ７を０分と決定し、その算出結果に従って、利用可能な残りの通話時間Ｔ３および利用可能な残りの待ち受け時間Ｔ５の表示を変更する。その後、手順はステップ４２２に進む。その後、手順は図７のステップ５０６へ進む。
【００３５】
図７を参照すると、ステップ５０６において、電源管理部１２２は、入力キー１５２および制御キー１５４を用いてユーザによって入力された入力設定情報を受け取る。ステップ５０８において、電源管理部１２２は入力設定情報のタイプを判定する。入力設定情報が機能の動作制限開始のバッテリ電力残量Ｐ１であると判定された場合は、手順は処理Ａを実行するステップ５１２（図８Ａ）に進む。入力設定情報が設定通話時間Ｔ２であると判定された場合は、手順は処理Ｂを実行するステップ５１４（図８Ｂ）に進む。入力設定情報が設定待ち受け時間Ｔ４であると判定された場合は、手順は処理Ｃを実行するステップ５１６（図８Ｃ）に進む。入力設定情報がアプリケーションの残りの動作可能時間Ｔ７であると判定された場合は、手順は処理Ｄを実行するステップ５１８（図８Ｄ）に進む。入力設定情報が動作制限解除のバッテリ電力残量Ｐ８であると判定された場合は、手順は処理Ｅを実行するステップ５２０（図８Ｅ）に進む。入力設定情報がアプリケーションＡＰ９の変更であると判定された場合は、手順は処理Ｆを実行するステップ５２２に進む。
【００３６】
図８Ａを参照すると、ステップ６１０において、電源管理部１２２は、現在のバッテリ電力残量Ｐ１０を、設定または変更された動作制限開始のバッテリ電力残量Ｐ１と比較し、現在のバッテリ電力残量Ｐ１０が動作制限開始のバッテリ電力残量Ｐ１より多いかどうかを判定する。現在のバッテリ電力残量Ｐ１０が動作制限開始のバッテリ電力残量Ｐ１より多い（Ｐ１０＞Ｐ１）と判定された場合は、電源管理部１２２は、ステップ６１２において、現在のバッテリ電力残量Ｐ１０から動作制限開始のバッテリ電力残量Ｐ１を減算して得られた差のバッテリ量（Ｐ１０−Ｐ１）と、図１Ｂのテーブル中のアプリケーションの消費電力とに従って動作可能なアプリケーションの動作可能時間Ｔ７を算出する。電源管理部１２２は、ステップ６１４において、設定または変更された動作制限開始のバッテリ電力残量Ｐ１とテーブル中の通話機能および着信待ち受け機能の消費電力とに従って、対応する設定通話時間Ｔ２、設定通話時間Ｔ２の範囲内の残りの通話時間Ｔ３、対応する設定待ち受け時間Ｔ４、および設定待ち受け時間Ｔ４の範囲内の残りの待ち受け時間Ｔ５を算出する。また、電源管理部１２２は、付加機能１２６の動作制限開始のバッテリ電力残量Ｐ１と動作制限解除のバッテリ電力残量Ｐ８の差と、付加機能１２６としてのアプリケーションの消費電力とに従って、アプリケーションの対応する設定動作時間Ｔ６を算出する。ステップ６２０において、電源管理部１２２は、図３Ｂに示されているような電源管理用の表示画面を変更する。その後、手順は図７のステップ５３２へ進む。
【００３７】
ステップ６１０において現在のバッテリ電力残量Ｐ１０が動作制限開始のバッテリ電力残量Ｐ１より多くない（Ｐ１０≦Ｐ１）と判定された場合は、電源管理部１２２は、ステップ６３２において、現在のバッテリ電力残量Ｐ１０とテーブル中の通話機能および着信待ち受け機能の消費電力とに従って、現在利用可能な通話機能の残りの通話時間Ｔ３および残りの待ち受け時間Ｔ５を算出する。電源管理部１２２は、ステップ６３４において、動作制限開始のバッテリ電力残量Ｐ１と動作制限解除のバッテリ電力残量Ｐ８の差と、アプリケーションの消費電力とに従って、アプリケーションの対応する設定動作時間Ｔ６を算出する。電源管理部１２２は、ステップ６４０において、アプリケーションの動作可能時間Ｔ７を０分と決定する。次いで、手順はステップ６２０に進む。その後、手順は図７のステップ５３２へ進む。
【００３８】
図８Ｂを参照すると、ステップ６０２において、電源管理部１２２は、設定または変更された設定通話時間Ｔ２と通話機能の消費電力とに従って、対応する動作制限開始のバッテリ電力残量Ｐ１を算出する。ステップ６１０、６３２、６４０および６２０は図８Ａのものと同様であり、再び説明することなしない。
【００３９】
ステップ６１５において、電源管理部１２２は、算出された動作制限開始のバッテリ電力残量Ｐ１と着信待ち受け機能の消費電力とに従って、設定待ち受け時間Ｔ４および残りの待ち受け時間Ｔ５を算出し、さらに、算出された動作制限開始のバッテリ電力残量Ｐ１と動作制限解除のバッテリ電力残量Ｐ８の差と、アプリケーションの消費電力とに従って、アプリケーションの対応する設定動作時間Ｔ６を算出する。
【００４０】
ステップ６３５において、電源管理部１２２は、動作制限開始のバッテリ電力残量Ｐ１と、動作制限解除のバッテリ電力残量Ｐ８と、着信待ち受け機能およびアプリケーションの消費電力とに従って、同様に、対応する設定待ち受け時間Ｔ４、およびアプリケーションの対応する設定動作時間Ｔ６を算出する。
【００４１】
図８Ｃを参照すると、ステップ６０３において、電源管理部１２２は、設定または変更された設定待ち受け時間Ｔ４と待ち受け機能の消費電力とに従って、対応する動作制限開始のバッテリ電力残量Ｐ１を算出する。ステップ６１０、６２０、６３２および６４０は図８Ａのものと同様である。
【００４２】
ステップ６１６において、電源管理部１２２は、算出された動作制限開始のバッテリ電力残量Ｐ１と、動作制限解除のバッテリ電力残量Ｐ８と、通話機能およびアプリケーションの消費電力とに従って、同様に、対応する設定通話時間Ｔ２、残りの通話時間Ｔ３、およびアプリケーションの対応する設定動作時間Ｔ６を算出する。
【００４３】
ステップ６３６において、電源管理部１２２は、算出された動作制限開始のバッテリ電力残量Ｐ１と、動作制限解除のバッテリ電力残量Ｐ８と、通話機能およびアプリケーションの消費電力とに従って、同様に、対応する設定通話時間Ｔ２、およびアプリケーションの対応する設定動作時間Ｔ６を算出する。
【００４４】
図８Ｄを参照すると、ステップ６０４において、電源管理部１２２は、設定または変更されたアプリケーションの残りの動作可能時間Ｔ７と、テーブル中のアプリケーションの消費電力とに従って、必要なバッテリ電力残量Ｐ１２（％）を算出し、現在のバッテリ電力残量Ｐ１０を必要なバッテリ電力残量Ｐ１２と比較する。ステップ６０５において、電源管理部１２２は、現在のバッテリ電力残量Ｐ１０が必要なバッテリ電力残量Ｐ１２より多いかどうか（Ｐ１０＞Ｐ１２）を判定する。現在のバッテリ電力残量Ｐ１０が必要なバッテリ電力残量Ｐ１２より多くないと判定された場合は、ステップ６０８において、電源管理部１２２は、現在のバッテリ電力残量Ｐ１０ではアプリケーションの残りの動作可能時間Ｔ７が確保できないことを表示する。その後、手順は図７のステップ５３２へ進む。
【００４５】
ステップ６０５において現在のバッテリ電力残量Ｐ１０が必要なバッテリ電力残量Ｐ１２より多い（Ｐ１０＞Ｐ１２）と判定された場合は、ステップ６０６において、電源管理部１２２は、現在のバッテリ電力残量Ｐ１０から必要なバッテリ電力残量Ｐ１２を減算して得られる差（Ｐ１０−Ｐ１２）に等しい動作制限開始の新しいバッテリ電力残量Ｐ１１を算出し、動作制限開始の新しいバッテリ電力残量Ｐ１１を元の動作制限開始のバッテリ電力残量Ｐ１と比較する。ステップ６１１において、電源管理部１２２は、新しい動作制限開始のバッテリ電力残量Ｐ１１が元の動作制限開始の残量Ｐ１より多いかどうか（Ｐ１１＞Ｐ１）を判定する。新しい動作制限開始のバッテリ電力残量Ｐ１１が元の動作制限開始のバッテリ電力残量Ｐ１より多いと判定された場合は、ステップ６１３において、電源管理部１２２は、アプリケーションの残りの動作可能時間Ｔ７以外の値を維持する。その後、手順はステップ６２０に進む。ステップ６２０は図８Ａのものと同様である。その後、手順は図７のステップ５３２に進む。
【００４６】
ステップ６１１において、新しい動作制限開始のバッテリ電力残量Ｐ１１が元の動作制限開始のバッテリ電力残量Ｐ１より多くないと判定された場合は、ステップ６３７において、電源管理部１２２は、新しい動作制限開始のバッテリ電力残量Ｐ１＝Ｐ１１に従って、同様に、設定通話時間Ｔ２、残りの通話時間Ｔ３、設定待ち受け時間Ｔ４、残りの待ち受け時間Ｔ５、およびアプリケーションの設定動作時間Ｔ６を算出する。その後、手順はステップ６２０に進む。その後、手順は図７のステップ５３２に進む。
【００４７】
図８Ｅを参照すると、ステップ６０７において、電源管理部１２２は、設定または変更された動作制限解除のバッテリ電力残量Ｐ８と動作制限開始のバッテリ電力残量Ｐ１の差と、アプリケーションの消費電力に従って、アプリケーションの設定動作時間Ｔ６を算出する。その後、手順はステップ６２０に進む。その後、手順は図７のステップ５３２に進む。
【００４８】
図７を再び参照すると、ステップ５２２において、電源管理部１２２は、設定または変更されたアプリケーションＡＰ９と、テーブル中のアプリケーションの消費電力と、動作制限解除のバッテリ電力残量Ｐ８と動作制限開始のバッテリ電力残量Ｐ１の差とに従って、アプリケーションの設定動作時間Ｔ６および残りの動作可能時間Ｔ７を算出する。その後、手順はステップ５３２に進む。
【００４９】
ステップ５３２において、ディスプレイ１５０に表示された現在の表示内容の設定をユーザが決定したかどうかを判定する。ユーザがその設定を決定したと判定された場合には、ステップ５３４において、設定または変更された動作制限開始のバッテリ電力残量Ｐ１等に従って、モバイル電子機器１０２の電源管理を行う。
【００５０】
図９は、図７のステップ５１２の処理Ａにより動作制限開始のバッテリ電力残量Ｐ１を変更した場合の電源管理の画面の変化を示している。ユーザが入力キー１５２および制御キー１５４を操作して（図６、ステップ４０２）、電源管理の画面の表示処理を呼び出すと、ディスプレイ１５０に現在の電源管理の状態を表す図９のａ）電源管理の初期画面が表示される（ステップ４１０、４１４および４２２）。この場合、現在のバッテリ電力残量Ｐ１０は６０％である。動作制限開始のバッテリ電力残量Ｐ１は満杯充電状態の５０％に設定されている。次いで、この場合、図９のｂ）動作制限開始のバッテリ電力残量Ｐ１を変更した場合の画面に示されているように、例えば動作制限開始レベルを低くするために、ユーザが入力キー１５２および制御キー１５４を用いて動作制限開始のバッテリ電力残量Ｐ１を４０％に変更する。次いで、図７のステップ５１２の処理Ａ（図８Ａ）が実行されて、図９のｃ）再計算後の表示に示されているように、設定通話時間Ｔ２、残りの通話時間Ｔ３、設定待ち受け時間Ｔ４、残りの待ち受け時間Ｔ５、アプリケーションの設定動作時間Ｔ６、およびアプリケーションの残りの動作可能時間Ｔ７の表示が変更される。
【００５１】
図１０は、図７のステップ５１２の処理Ａにより動作制限開始のバッテリ電力残量Ｐ１を変更した場合の電源管理の画面の別の変化を示している。ユーザが電源管理の画面の表示処理を呼び出すと、ディスプレイ１５０に現在の電源管理の状態を表す図１０のａ）電源管理の初期画面が表示される。この場合、現在のバッテリ電力残量Ｐ１０は４０％である。アプリケーションの残りの動作可能時間Ｔ７は０分である。動作制限開始のバッテリ電力残量Ｐ１は満杯充電状態の５０％に設定されている。次いで、図１０のｂ）動作制限開始のバッテリ電力残量Ｐ１を変更した場合の画面に示されているように、例えば動作制限開始レベルを低くするために、ユーザが入力キー１５２および制御キー１５４を用いて動作制限開始のバッテリ電力残量Ｐ１を４０％に変更する。次いで、図７のステップ５１２の処理Ａ（図８Ａ）が実行されて、図１０のｃ）再計算後の表示に示されているように、設定通話時間Ｔ２、設定待ち受け時間Ｔ４、およびアプリケーションの設定動作時間Ｔ６の表示が変更される。
【００５２】
図１１は、図７のステップ５１４の処理Ｂにより設定通話時間Ｔ２を変更した場合の電源管理の画面の変化を示している。ユーザが電源管理の画面の表示処理を呼び出すと、ディスプレイ１５０に現在の電源管理の状態を表す図１１のａ）電源管理の初期画面が表示される。この場合、現在のバッテリ電力残量Ｐ１０は６０％である。現在の設定通話時間Ｔ２は６０分に設定されている。次いで、図１１のｂ）設定通話時間Ｔ２を変更した場合の画面に示されているように、例えば設定通話時間を短くするために、ユーザが入力キー１５２および制御キー１５４を用いて設定通話時間Ｔ２を４０分に変更する。次いで、図７のステップ５１４の処理Ｂが実行されて、図１１のｃ）再計算後の表示に示されているように、動作制限開始のバッテリ電力残量Ｐ１、残りの通話時間Ｔ３、設定待ち受け時間Ｔ４、残りの待ち受け時間Ｔ５、アプリケーションの設定動作時間Ｔ６、および残りの動作可能時間Ｔ７の表示が変更される。
【００５３】
図１２は、図７のステップ５１６の処理Ｄによりアプリケーション（音楽再生）の残りの動作可能時間Ｔ７を変更した場合の電源管理の画面の変化を示している。ユーザが電源管理の画面の表示処理を呼び出すと、ディスプレイ１５０に現在の電源管理の状態を表す図１２のａ）電源管理の初期画面が表示される。この場合、現在のバッテリ電力残量Ｐ１０は６０％である。現在のアプリケーションの残りの動作可能時間Ｔ７は２０分である。次いで、図１２のｂ）アプリケーションの残りの動作可能時間Ｔ７を変更した場合の画面に示されているように、例えば６０分の音楽再生のために、ユーザが入力キー１５２および制御キー１５４を用いて残りの動作可能時間Ｔ７を６０分に変更する。次いで、図７の処理Ｄが実行されて、図１２のｃ）再計算後の表示に示されているように、動作制限開始のバッテリ電力残量Ｐ１、設定通話時間Ｔ２、残りの通話時間Ｔ３、設定待ち受け時間Ｔ４、残りの待ち受け時間Ｔ５、およびアプリケーションの設定動作時間Ｔ６の表示が変更される。
【００５４】
図１３は、図７のステップ５１８の処理Ｅにより動作制限解除のバッテリ電力残量Ｐ８を変更した場合の電源管理の画面の変化を示している。ユーザが電源管理の画面の表示処理を呼び出すと、ディスプレイ１５０に現在の電源管理の状態を表す図１３のａ）電源管理の初期画面が表示される。この場合、現在のバッテリ電力残量Ｐ１０は６０％である。動作制限解除のバッテリ電力残量Ｐ８は満杯充電状態の９０％に設定されている。次いで、この場合、図１３のｂ）動作制限解除のバッテリ電力残量Ｐ８を変更した場合の画面に示されているように、例えば動作制限が開始されさらに充電が開始された後のアプリケーションを早く利用できるようにするために、ユーザが入力キー１５２および制御キー１５４を用いて動作制限解除のバッテリ電力残量Ｐ８を８０％に変更する。次いで、図７の処理Ｅが実行されて、図１３のｃ）再計算後の表示に示されているように、アプリケーションの設定動作時間Ｔ６の表示が変更される。
【００５５】
図１４は、図７のステップ５２０の処理ＦによりアプリケーションＡＰ９を変更した場合の電源管理の画面の変化を示している。ユーザが電源管理の画面の表示処理を呼び出すと、ディスプレイ１５０に現在の電源管理の状態を表す図１３のａ）電源管理の初期画面が表示される。この場合、現在のバッテリ電力残量Ｐ１０は６０％である。現在のアプリケーションＡＰ９は音楽再生に設定されている。次いで、この場合、図１４のｂ）アプリケーションＡＰ９を変更した場合の画面に示されているように、例えば電子機器１００または１０２上でゲームをするために、ユーザが入力キー１５２および制御キー１５４を用いてアプリケーションＡＰ９をゲーム１に変更する。次いで、図７の処理Ｆが実行されて、図１４のｃ）再計算後の表示に示されているように、変更されたアプリケーションの設定動作時間Ｔ６および残りの動作可能時間Ｔ７の表示が変更される。
【００５６】
図１５は、バッテリ電力残量Ｐ１０に対するモバイル電子機器１００または１０２の例えば所定の通話時間および着信待ち受け時間のような主要機能とその他の機能に対するバッテリの配分を示している。本発明の実施形態によれば、モバイル電子機器１００または１０２において主要機能およびその他の機能の動作によってバッテリ電力残量Ｐ１０が徐々に減少して、制限開始のバッテリ電力残量Ｐ１まで達したとき、その残りのバッテリ電力残量Ｐ１０＝Ｐ１を主要機能のみのために所定の最小の動作時間分を確保することができ、バッテリ電力残量Ｐ１０からバッテリ電力残量Ｐ１を差し引いた残りの電力をユーザは、主要機能１２４および付加機能１２６の利用のために自由に使用することができる。それによって、ユーザが不注意に主要機能１２４の動作のためのバッテリ電力を付加機能１２６の利用のために使いきることを防止できる。
【００５７】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００５８】
以上の実施例を含む実施形態に関して、さらに以下の付記を開示する。
（付記１）  情報処理部と、前記情報処理部に結合されたメモリと、前記情報処理部に結合された無線通信部と、前記情報処理部に結合された音声回路と、表示手段と、入力手段と、二次電池と、前記二次電池の電力残量を検出する検出手段と、を具える電子機器であって、
前記情報処理部は、二次電池の電力を管理する電力管理手段と、通話機能および着信待ち受け機能等の主要機能と、他の付加機能とを有し、
前記検出手段によって検出された前記二次電池の現在の電力残量が所定の閾値以下である場合に、前記電力管理手段は、前記付加機能の動作の制限を開始し、
前記電力管理手段は、前記二次電池の前記所定の閾値、および前記所定の閾値のバッテリ電力残量に対する前記主要機能の設定動作時間のうちの一方に従ってその他方を算出し、
前記電力管理手段は、前記検出手段によって検出された前記二次電池の電力残量と、前記所定の閾値のバッテリ電力残量とに従って、前記主要機能の動作可能時間と前記付加機能の動作可能時間とを算出し、
前記電力管理手段は、前記二次電池の前記現在の電力残量、前記所定の閾値、前記主要機能の動作可能時間、および前記付加機能の動作可能時間を前記表示手段に表示するものであることを特徴とする、電子機器。
（付記２）  前記検出手段によって検出された前記二次電池の電力残量が前記所定の閾値以下である場合に、前記電力管理手段は、前記所定の閾値のバッテリ電力残量による前記主要機能の前記設定動作時間と、前記二次電池の前記現在の電力残量による前記主要機能の動作可能時間とを算出して、前記表示手段に表示することを特徴とする、付記１に記載の電子機器。
（付記３）  前記電力管理手段は、ユーザによって設定された前記所定の閾値に従って、前記主要機能の前記設定動作時間を算出して前記表示手段に表示することを特徴とする、付記１に記載の電子機器。
（付記４）  前記電力管理手段は、ユーザによって設定された前記所定の閾値と、前記現在の電力残量とに従って、前記付加機能の動作可能時間を算出して前記表示手段に表示することを特徴とする、付記１に記載の電子機器。
（付記５）  前記電力管理手段は、ユーザによって設定された前記主要機能の前記設定動作時間に従って、前記所定の閾値を算出して前記表示手段に表示することを特徴とする、付記１に記載の電子機器。
（付記６）  前記電力管理手段は、ユーザによって設定された前記主要機能の前記設定動作時間と、前記現在の電力残量とに従って、前記所定の閾値と前記付加機能の動作可能時間とを算出して前記表示手段に表示することを特徴とする、付記１に記載の電子機器。
（付記７）  前記電力管理手段は、ユーザによって設定された前記付加機能の動作可能時間と、前記現在の電力残量とに従って、前記所定の閾値と前記主要機能の前記設定動作時間とを算出して前記表示手段に表示することを特徴とする、付記１に記載の電子機器。
（付記８）  前記付加機能を選択したとき、前記電力管理手段は、前記付加機能の動作可能時間を算出して前記表示手段に表示することを特徴とする、付記１に記載の電子機器。
（付記９）  前記主要機能としての着信待ち受け機能が動作中、前記検出手段、ＬＥＤバックライトおよびバイブレータのうちの少なくとも１つが停止することを特徴とする、付記１に記載の電子機器。
（付記１０）  前記検出手段によって検出された前記二次電池の現在の電力残量が所定の閾値以下である場合に、前記電力管理手段は、前記付加機能が使用できないことを前記表示装置に表示することを特徴とする、付記１に記載の電子機器。
（付記１１）  前記付加機能の動作の制限が開始された後、前記二次電池の充電によって前記現在のバッテリ電力残量が前記付加機能の動作の制限を解除すべき別の閾値を超えたとき、前記電力管理手段は、前記付加機能の動作の制限を解除することを特徴とする、付記１に記載の電子機器。
（付記１２）  前記電力管理手段は、前記付加機能の動作の制限を開始する前記所定の閾値と、前記付加機能の動作の制限を解除する別の閾値との差の電力残量に従って、前記付加機能の設定動作時間を算出して前記表示手段に表示することを特徴とする、付記１に記載の電子機器。
（付記１３）  情報処理部と、前記情報処理部に結合されたメモリと、前記情報処理部に結合された無線通信部と、前記情報処理部に結合された音声回路と、表示手段と、入力手段と、二次電池と、前記二次電池の電力残量を検出する検出手段と、を具える電子機器であって、
前記情報処理部は、二次電池の電力を管理する電力管理手段と、通話機能および着信待ち受け機能等の主要機能と、他の付加機能とを有し、
前記検出手段によって検出された前記二次電池の現在の電力残量が所定の閾値以下である場合に、前記電力管理手段は、警告音を発生し、
前記電力管理手段は、前記二次電池の前記所定の閾値、および前記所定の閾値のバッテリ電力残量に対する前記主要機能の設定動作時間のうちの一方に従ってその他方を算出し、
前記電力管理手段は、前記検出手段によって検出された前記二次電池の電力残量と、前記所定の閾値のバッテリ電力残量とに従って、前記主要機能の動作可能時間と前記付加機能の動作可能時間とを算出し、
前記電力管理手段は、前記二次電池の前記現在の電力残量、前記所定の閾値、前記主要機能の動作可能時間、および前記付加機能の動作可能時間を前記表示手段に表示するものであることを特徴とする、電子機器。
【図面の簡単な説明】
【００５９】
【図１】図１Ａは、本発明の実施形態による、再充電可能な二次電池を有する通常のモバイル電子機器を示している。図１Ｂは、メモリに格納される、各機能の消費電力を表すテーブルを示している。
【図２】図２は、本発明の別の実施形態による、二次電池および燃料電池を有するモバイル電子機器を示している。
【図３】図３Ａは、本発明の原理を説明するため時間の経過に従って変化する二次電池のバッテリ電力残量と或る付加機能の動作制限の開始および解除との関係を示している。図３Ｂは、図１の電子機器のディスプレイに表示される電源管理用の表示画面の例を示している。
【図４】図４は、図１の電子機器の主要制御部の電源管理部によって実行される付加機能の動作の制限のためのフローチャートを示している。
【図５】図５は、図１Ａまたは２の電子機器の主要制御部の電源管理部によって実行される付加機能の動作の制限のための別のフローチャートを示している。
【図６】図６および７は、主要制御部の電源管理部によって実行される、モバイル電子機器の諸機能の電源管理のための処理のフローチャートを示している。
【図７】（図６で説明）
【図８Ａ】図８Ａ〜８Ｅは、図７の処理Ａ〜Ｅの部分の詳細のフローチャートを示している。
【図８Ｂ】（図8Aで説明）
【図８Ｃ】（図8Aで説明）
【図８Ｄ】（図8Aで説明）
【図８Ｅ】（図8Aで説明）
【図９】図９は、図７の処理Ａにより動作制限開始のバッテリ電力残量Ｐ１を変更した場合の電源管理の画面の変化を示している。
【図１０】図１０は、図７の処理Ａにより動作制限開始のバッテリ電力残量Ｐ１を変更した場合の電源管理の画面の別の変化を示している。
【図１１】図１１は、図７のステップの処理Ｂにより設定通話時間Ｔ２を変更した場合の電源管理の画面の変化を示している。
【図１２】図１２は、図７の処理Ｄによりアプリケーションの残りの動作可能時間Ｔ７を変更した場合の電源管理の画面の変化を示している。
【図１３】図１３は、図７の処理Ｅにより動作制限解除のバッテリ電力残量Ｐ８を変更した場合の電源管理の画面の変化を示している。
【図１４】図１４は、図７の処理ＦによりアプリケーションＡＰ９を変更した場合の電源管理の画面の変化を示している。
【図１５】図１５は、バッテリ電力残量Ｐ１０に対するモバイル電子機器の主要機能とその他の機能に対するバッテリの配分を示している。
【符号の説明】
【００６０】
１００  モバイル電子機器
１２０  主要制御部
１２２  電源管理部
１２４  主要機能（通話機能、着信待ち受け機能）
１２６  付加機能（アプリケーション）
１４０  メモリ
１６２  バッテリ残量検出部
【図１】
2011210270.tif 000003
【図２】
2011210270.tif 000004
【図３】
2011210270.tif 000005
【図４】
2011210270.tif 000006
【図５】
2011210270.tif 000007
【図６】
2011210270.tif 000008
【図７】
2011210270.tif 000009
【図８Ａ】
2011210270.tif 000010
【図８Ｂ】
2011210270.tif 000011
【図８Ｃ】
2011210270.tif 000012
【図８Ｄ】
2011210270.tif 000013
【図８Ｅ】
2011210270.tif 000014
【図９】
2011210270.tif 000015
【図１０】
2011210270.tif 000016
【図１１】
2011210270.tif 000017
【図１２】
2011210270.tif 000018
【図１３】
2011210270.tif 000019
【図１４】
2011210270.tif 000020
【図１５】
2011210270.tif 000021